(57)【要約】【課題】排水経路および排水経路周辺部分の信頼性を向上させること。【解決手段】排水経路１９の一部に略Ｕ字形状部分を備えて洗浄槽２内の洗浄水を排出した後に洗浄水を貯留する排水トラップ部１８と、排水経路１９の一部をフロート室１６に接続する戻し経路２０とを備え、排水トラップ部１８と戻し経路２０を樹脂で形成して一体成型または樹脂溶着または樹脂接着したことにより、排水トラップ部１８および戻し経路２０は可倒性ではなく変形しない固体で形成されるため、排水経路１０または排水トラップ部１８と戻し経路２０との接続部をホース接続にする必要がないので、ホース接続箇所を１箇所削減することができる。【選択図】図１
2011030622.tif 000002
【特許請求の範囲】
【請求項１】
食器類を配置する食器かごを収納する洗浄槽と、前記洗浄槽内の洗浄水と同一水位を貯留するフロート室と、前記フロート室内の水位を検知するフロートと、前記洗浄槽内の洗浄水を循環させる洗浄手段と、前記洗浄槽内の洗浄水を加熱する加熱手段と、前記洗浄槽内で自由に回転できるように配設され且つ洗浄水を噴射する噴射孔を有する洗浄ノズルと、前記洗浄槽内の洗浄水を排水経路を介して前記洗浄槽外へ排出する排水手段と、前記排水経路の一部に略Ｕ字形状部分を備えて前記洗浄槽内の洗浄水を排出した後に洗浄水を貯留する排水トラップ部と、前記排水経路の一部を前記フロート室に接続する戻し経路とを備え、前記排水トラップ部と前記戻し経路を樹脂で形成して一体成型または樹脂溶着または樹脂接着した食器洗浄機。
【請求項２】
排水トラップ部の略Ｕ字形状部位の肉厚を他の部位よりも厚くした請求項１記載の食器洗浄機。
【請求項３】
排水トラップ部および戻し経路およびフロート室を樹脂で形成して一体成型または樹脂溶着または樹脂接着した請求項１または２記載の食器洗浄機。
【請求項４】
洗浄槽を樹脂で成型するとともに、排水トラップ部およびを戻し経路およびフロート室を前記洗浄槽と一体成型または樹脂溶着または樹脂接着した請求項１〜３のいずれか１項に記載の食器洗浄機。
【発明の詳細な説明】
【技術分野】
【０００１】
本発明は一般家庭で食器類や調理類を洗浄する食器洗浄機に関するものである。
【背景技術】
【０００２】
従来、この種の食器洗浄機１は図７に示すような構成をしている。以下、その構成について説明する。
【０００３】
図７に示すように、洗浄槽２は内部に食器３を収納する食器かご４を設けている。また、洗浄槽２内には、洗浄槽２内の洗浄水を加熱する加熱手段５（例えばシーズヒータなど）を設けるとともに、洗浄手段６（例えば洗浄ポンプ）が洗浄水を加圧して、洗浄ノズル７の噴射孔８より洗浄水を噴射し食器かご４に収納した食器３を洗浄するように構成している。給水弁９は水道水を洗浄槽２に供給するものである。洗浄槽２内の洗浄水は排水手段１０により排水される。
【０００４】
フィルタ１１は洗浄槽２に設け、洗浄行程およびすすぎ行程において、残菜（食器３に汚れとして付着していた食品を残菜という）を捕集する。送風手段１２は、乾燥行程で動作して食器洗浄機１外の空気を洗浄槽２内に送風し、排気口１３より排気することにより、洗浄槽２内の食器３を乾燥させる。
【０００５】
洗浄槽２の前面にドア１４が開閉自在に設けられている。
【０００６】
温度検知手段１５は、洗浄槽２を介して、洗浄水、空気および加熱手段５の温度を検知するものである。
【０００７】
フロート室１６は、洗浄槽２の一部と連通していて、洗浄槽２内に洗浄水が供給されるとフロート室１６にも洗浄水が供給され、洗浄槽２内の洗浄水と同一水位の洗浄水を貯留するものである。
【０００８】
フロート室１６内にあるフロート１７は、フロート室１６内の水位を検知するものである。
【０００９】
排水トラップ部１８は、排水手段１０により洗浄槽２内から食器洗浄機１外へ洗浄水が排出される排水経路１９の一部を形成するものであり、図８に示すように、略Ｕ字形状部分αを備えるように形成されている。
【００１０】
また、排水経路１９には、洗浄槽２と排水トラップ部１８との間に、排水経路１９の一部をフロート室１６と接続する戻し経路２０が設けられている。
【００１１】
制御装置２１は、フロート１７の洗浄水の水位検知に基づいて給水弁９が洗浄槽２内に洗浄水を供給するのを制御したり、温度検知手段１５の出力に基づいて加熱手段５を制御したりするとともに、洗浄手段６、給水弁９、排水手段１０、送風手段１２等を制御して、洗浄、すすぎ、乾燥の一連の行程を逐次制御するよう構成している。
【００１２】
上記構成において動作を説明すると、利用者がドア１４を前方に開け、食器３を食器かご４に配置し、洗浄槽２に収納して洗剤を入れた後、運転を開始すると、まず排水手段１０が動作して、前回の運転等で洗浄槽２内に残っている洗浄水（残水と呼ぶ）を排水経路１９を介して食器洗浄機１外へ排出する。
【００１３】
そして、給水弁９が動作して洗浄水を洗浄槽２に供給する。このとき、フロート室１６は、洗浄槽２の一部と連通しているので、フロート室１６にも洗浄槽２と同一水位の洗浄水が供給されることになる。そのため、フロート室１６内にあるフロート１７がフロート室１６内の洗浄水の水位を検知することで、洗浄槽２内の洗浄水の水位を検知することができる。フロート１７がフロート室１６内の所定の水位を検知すると給水弁９は洗浄水の供給を停止する。
【００１４】
所定の洗浄水が供給されると、洗浄手段６が洗浄水を加圧し、洗剤とともに洗浄ノズル７に設けた噴射孔８から洗浄水が噴射される。こうして洗浄行程が行われる。この洗浄行程では洗浄槽２内に設けた加熱手段５に通電して、洗浄水を洗浄行程での所定温度まで加熱する。
【００１５】
所定時間の洗浄行程を経ると、次に食器３から洗い落とされた汚れを含む洗浄水を、排水経路１９を介して排水手段１０により食器洗浄機１外へ排出する。
【００１６】
引き続いて、新たに洗浄水を供給して洗浄ノズル７に設けた噴射孔８から再び噴射して、洗剤や残菜等で汚れた食器３をすすぐ行程を実行する。
【００１７】
このすすぎ行程を終えると、洗浄水を再び食器洗浄機１外へ排出する。このすすぎ行程は連続して数回繰り返される。なお、洗浄およびすすぎ行程において、残菜は洗浄槽２に設けたフィルタ１１内に捕集される。所定回数のすすぎ行程が終了すると乾燥行程が開始する。この行程では、送風手段１２が動作して食器洗浄機１外の空気が洗浄槽２内へ送り込まれる。送り込まれた空気は加熱手段５により加熱された後、食器３を乾燥させて排気口１３より食器洗浄機１外へ排出される。乾燥行程終了後、運転を終了する。
【００１８】
なお、排水経路１９には、略Ｕ字形状部分αを備えた排水トラップ部１８が設けられているので、排水行程が終了すると、図９に示すように、排水トラップ部１８に洗浄水Ｗが貯留することになる。このように構成することで、排水経路１９を家庭の排水管等に接続した場合に、排水管から排水経路１９へ逆流する悪臭が、排水トラップ部１８に貯留している洗浄水によって洗浄槽２内に入ってくるのを防止することができる。
【００１９】
また、洗浄槽２と排水トラップ部１８との間に、排水経路１９の一部とフロート室１６とを接続する戻し経路２０を設けることにより、排水行程中には、排水手段１０により排出される洗浄水の一部をフロート室１６へ供給してフロート室１６を洗浄するだけでなく、排水行程終了直前に排水経路１９に戻し経路２０から空気を送り込むことができるので、サイフォン現象により排水経路１９内の洗浄水が全て食器洗浄機１外へ排出されるのを防止することができ、排水トラップ部１８に洗浄水Ｗを貯留することができるものである。すなわち、戻し経路２０がないとサイフォン現象により排水トラップ部１８に洗浄水Ｗを貯留することができないので、排水管からの悪臭が排水経路１９を介して洗浄槽２および台所内に侵入してしまって家庭内を悪臭で充満させてしまうことになる。
【先行技術文献】
【特許文献】
【００２０】
【特許文献１】特許第３４８５７７２号公報
【発明の概要】
【発明が解決しようとする課題】
【００２１】
しかしながら、図７に示されるような従来の食器洗浄機１の構成では、以下のような課題がある。
【００２２】
排水経路１９や戻し経路２０は塩化ビニル樹脂やゴムなどの可倒性のホースで形成されるものであるが、図８に示すように、略Ｕ字形状部分αを備えた排水トラップ部１８を設けると、可倒性のホースは略Ｕ字形状に曲げやすいが、排水手段１０により洗浄水が洗浄槽２から排出されるときに、曲げている部分である略Ｕ字形状部分αに圧力がかかるため亀裂が生じたりする恐れがある。
【００２３】
また、戻し経路２０を設けると、図７および図８に示すように、排水経路１９と戻し経路２０を接続する排水戻し部２２も必要になるが、このとき、排水手段１０から食器洗浄機１外までの排水経路１９に、４ヶ所のホース接続部Ａ〜Ｄが発生することになる。ホース接続部Ａ〜Ｄにも排水手段１０による洗浄水の圧力がかかるので、食器洗浄機１を組み立てるときにホース接続部Ａ〜Ｄのどれか１つでも接続を忘れてしまった場合はもちろんのこと、接続が緩かったりした場合に、ホースは可倒性の塩化ビニル樹脂やゴムなどで形成されているため、食器洗浄機１の運転中に緩い部分のホース接続が外れてしまったりする恐れがある。
【００２４】
そのため、排水経路１９に亀裂が生じたり、ホース接続部Ａ〜Ｄのいずれか１つでも外れたりすると、洗浄水を食器洗浄機１外へ排出するときに洗浄水が食器洗浄機１外へ漏れてしまって、食器洗浄機１が設置されている台所等を水浸しにして台所を痛めてしまうという課題を有している。
【００２５】
このような課題を解決するために、図１０に示すように、排水経路１９の略Ｕ字形状部分αを備えた排水トラップ部１８をポリプロピレンやポリアセタール、ＡＢＳ、ポリカーボネート、ポリスチレン、ナイロンなどの樹脂で形成したものがあるが、排水トラップ部１８を前記記載の樹脂で形成すると、排水トラップ部１８は可倒性ではなく変形しない固体で形成されるため、略Ｕ字形状部分αに洗浄水の排水時の圧力がかかっても塩化ビニル樹脂やゴム等のホースで形成した場合よりも強度を向上させることができるので、排水経路１９の排水トラップ部１８で亀裂が生じて洗浄水が食器洗浄機１外へ漏れてしまうのを低減することができる。
【００２６】
しかしながら、このような構成にしても、ホース接続部Ａ〜Ｄは４箇所存在するので、ホースが外れてしまう確率は低減しないという課題を有している。
【００２７】
本発明は上記従来の課題を解決するもので、排水経路および排水経路周辺部分の信頼性を向上させることを目的としている。
【課題を解決するための手段】
【００２８】
前記従来の課題を解決するため、本発明の食器洗浄機は、食器類を配置する食器かごを収納する洗浄槽と、洗浄槽内の洗浄水と同一水位を貯留するフロート室と、フロート室内の水位を検知するフロートと、洗浄槽内の洗浄水を循環させる洗浄手段と、洗浄槽内の洗浄水を加熱する加熱手段と、洗浄槽内で自由に回転できるように配設され且つ洗浄水を噴射する噴射孔を有する洗浄ノズルと、洗浄槽内の洗浄水を排水経路を介して洗浄槽外へ排出する排水手段と、排水経路の一部に略Ｕ字形状部分を備えて洗浄槽内の洗浄水を排出した後に洗浄水を貯留する排水トラップ部と、排水経路の一部をフロート室に接続する戻し経路とを備え、排水トラップ部と戻し経路を樹脂で形成して一体成型または樹脂溶着または樹脂接着したことを備えたものである。
【００２９】
これにより、排水トラップ部は可倒性ではなく変形しない固体で形成されるため、塩化ビニル樹脂やゴムなどの変形することが可能な可倒性の材料で作られる場合よりも強度を向上させることができるので、排水トラップ部の略Ｕ字形状部分に排水手段による洗浄水
の圧力が加わっても排水トラップ部に亀裂が生じて洗浄水が漏れるのを防止することができるとともに、排水トラップ部と戻し経路との接続部をホース接続にする必要がないので、ホース接続箇所を１箇所削減することができる。それゆえ、食器洗浄機を組み立てるときにホース接続部の接続を忘れてしまうことや、ホース接続が緩かったりしてホースが外れてしまうことを低減することができる。
【発明の効果】
【００３０】
本発明の食器洗浄機は、請求項１の構成にしたから、排水トラップ部と戻し経路との接続部をホース接続にする必要がないので、ホース接続箇所を１箇所削減することができる。それゆえ、食器洗浄機を組み立てるときにホース接続部の接続を忘れてしまうことや、ホース接続が緩かったりしてホースが外れてしまうことを低減することができ、排水経路、排水トラップ部、戻し経路の信頼性を向上させることができる。
【図面の簡単な説明】
【００３１】
【図１】本発明の第１の実施例の食器洗浄機の断面図
【図２】同食器洗浄機を背面から見た図
【図３】同食器洗浄機のフロート室および排水トラップ部および戻し経路を一体にした場合の断面図
【図４】同食器洗浄機のフロート室および排水トラップ部および戻し経路を一体にした場合の背面から見た図
【図５】同食器洗浄機のフロート室および排水トラップ部および戻し経路を洗浄槽と一体にした場合の断面図
【図６】同食器洗浄機のフロート室および排水トラップ部および戻し経路を洗浄槽と一体にした場合の背面から見た図
【図７】従来の食器洗浄機の断面図
【図８】同食器洗浄機の背面から見た図
【図９】同食器洗浄機の排水トラップ部に洗浄水が貯留された状態を示す図
【図１０】同食器洗浄機の排水トラップ部を樹脂で成型した場合の例を示す図
【発明を実施するための形態】
【００３２】
第１の発明は、食器類を配置する食器かごを収納する洗浄槽と、洗浄槽内の洗浄水と同一水位を貯留するフロート室と、フロート室内の水位を検知するフロートと、洗浄槽内の洗浄水を循環させる洗浄手段と、洗浄槽内の洗浄水を加熱する加熱手段と、洗浄槽内で自由に回転できるように配設され且つ洗浄水を噴射する噴射孔を有する洗浄ノズルと、洗浄槽内の洗浄水を排水経路を介して洗浄槽外へ排出する排水手段と、排水経路の一部に略Ｕ字形状部分を備えて洗浄槽内の洗浄水を排出した後に洗浄水を貯留する排水トラップ部と、排水経路の一部をフロート室に接続する戻し経路とを備え、排水トラップ部と戻し経路を樹脂で形成して一体成型または樹脂溶着または樹脂接着したことを備えたものであり、排水トラップ部は可倒性ではなく変形しない固体で形成されるため、塩化ビニル樹脂やゴムなどの変形することが可能な可倒性の材料で作られる場合よりも強度を向上させることができるので、排水トラップ部の略Ｕ字形状部分に排水手段による洗浄水の圧力が加わっても排水トラップ部に亀裂が生じて洗浄水が漏れるのを防止することができるとともに、排水トラップ部と戻し経路との接続部をホース接続にする必要がないので、ホース接続箇所を１箇所削減することができる。それゆえ、食器洗浄機を組み立てるときにホース接続部の接続を忘れてしまうことや、ホース接続が緩かったりしてホースが外れてしまうことを低減することができ、排水経路、排水トラップ部、戻し経路の信頼性を向上させることができる。
【００３３】
第２の発明は、特に、第１の発明の排水トラップ部の略Ｕ字形状部位の肉厚を他の部位よりも厚くしたものであり、排水トラップ部の略Ｕ字形状部分の強度をより向上させるこ
とができるので、排水トラップ部の略Ｕ字形状部分に排水手段による洗浄水の圧力が加わっても、亀裂が生じるのをより低減することができ、排水経路および排水トラップ部の信頼性をより向上させることができる。
【００３４】
第３の発明は、特に、第１または第２の発明の排水トラップ部および戻し経路およびフロート室を樹脂で形成して一体成型または樹脂溶着または樹脂接着したものであり、戻し経路とフロート室との位置関係が所定の位置で常に一定となりずれたりしないので、排水時に戻し経路を通過する洗浄水は常にフロート室に供給されることになる。
【００３５】
それゆえ、排水トラップ部とフロート室とが別々に構成されている場合に、排水トラップ部と戻し経路とを樹脂で形成して一体成型または樹脂溶着または樹脂接着した構成にすると、食器洗浄機の組み立てで、排水トラップ部またはフロート室の取り付け方が悪かった場合には、戻し経路とフロート室とが所定の位置関係にならずに戻し経路の先端がフロート室外に配置されてしまう恐れがあり、排水時に戻し経路を流れる洗浄水がフロート室外および食器洗浄機外に出てしまって食器洗浄機が設置されている周辺を水浸しにする恐れがあることを防止することができ、食器洗浄機の信頼性をより一層向上させることができる。
【００３６】
第４の発明は、特に、第１〜３のいずれか１項の発明の洗浄槽を樹脂で成型するとともに、排水トラップ部およびを戻し経路およびフロート室を洗浄槽と一体成型または樹脂溶着または樹脂接着したものであり、フロート室と洗浄槽とを接続するフロート室用ホースを削減することができ、フロート室と洗浄槽間のホース接続部をなくすことができるので、食器洗浄機の組み立て時のホース接続ミスやホースの取り付けが緩いために生じるホース外れの恐れ等を低減することができる。それゆえ、洗浄水が食器洗浄機外へ漏れるのを低減することができ、食器洗浄機の信頼性をより一層向上させることができる。
【実施例】
【００３７】
以下、本発明の第１の実施例について、図面を参照しながら説明する。なお、従来例と同じ構成のものは同一符号を付して説明を省略する。
【００３８】
（実施例１）
図１に示す食器洗浄機１において、食器３を配置する食器かご４を収納する洗浄槽２内には、洗浄水を加熱する加熱手段５（例えばシーズヒータなど）が設けられている。また、洗浄槽２の下面に配置された洗浄手段６は、洗浄水を加圧するものである。洗浄手段６により加圧された洗浄水は、洗浄槽２内に設けられた洗浄ノズル７の噴射孔８より噴射される。洗浄槽２内の洗浄水は給水弁９から洗浄槽２に給水され、排水手段１０により排水されるものである。
【００３９】
フィルタ１１は洗浄槽２に設けられており、食器３を洗浄する洗浄行程および食器３をすすぐすすぎ行程で、残菜（食器３に汚れとして付着していた食品を残菜という）を捕集する。
【００４０】
送風手段１２は、乾燥行程で動作して、食器洗浄機１外の空気を洗浄槽２内に供給し、排気口１３より排気することで、洗浄槽２内の食器３を乾燥させる。
【００４１】
洗浄槽２の前面にドア１４が開閉自在に設けられており、ドア１４を開くことで、食器３を食器洗浄機１から自由に出し入れすることができる。
【００４２】
温度検知手段１５は、洗浄槽２内の洗浄水、空気および加熱手段５の温度を検知するものである。
【００４３】
フロート室１６は、洗浄槽２の一部と連通しているように構成されており、洗浄槽２内に洗浄水が供給されるとフロート室１６にも洗浄水が供給され、洗浄槽２内の洗浄水と同一水位の洗浄水が貯留される。
【００４４】
フロート１７はフロート室１６内に配置されており、フロート室１６内の水位を検知するものである（フロート室１６内に所定量の洗浄水が供給されるとフロート１７が浮上し、フロート１７が浮上したことをセンサＳが検知するものである）。
【００４５】
排水トラップ部１８は、排水手段１０により洗浄槽２内から食器洗浄機１外へ洗浄水が排出される排水経路１９の一部を形成するものであり、ポリプロピレンやポリアセタール、ＡＢＳ、ポリカーボネート、ポリスチレン、ナイロンなどの樹脂で形成されている。形状としては、図２に示すように、略Ｕ字形状部分αがあり、略Ｕ字形状部分αの一部に洗浄水Ｗが貯留するように形成されている。
【００４６】
一方、図１および図２に示すように、排水トラップ部１８の一部に、洗浄水をフロート室１６に供給する戻し経路２０が設けられている。この戻し経路２０は排水トラップ部１８と樹脂で形成されて排水トラップ部１８と一体に成型または樹脂溶着または樹脂接着されているものである。
【００４７】
制御装置２１は、フロート１７の検知に基づいて給水弁９が洗浄槽２内に洗浄水を供給するのを制御したり、温度検知手段１５の出力に基づいて加熱手段５を制御したりするとともに、洗浄手段６、給水弁９、排水手段１０、送風手段１２等を制御して、洗浄、すすぎ、乾燥の一連の行程を逐次制御するよう構成している。
【００４８】
なお、図１および図２において、排水経路１９におけるホース接続部はＡ〜Ｃの３箇所である。
【００４９】
上記構成において動作を説明すると、利用者がドア１４を開け、食器かご４に食器３を配置し、洗浄槽２に収納して洗剤を入れた後、ドア１４を閉じて運転を開始すると、排水手段１０が動作して、前回の運転等で洗浄槽２内に残っている洗浄水（残水と呼ぶ）を食器洗浄機１外へ排出する。
【００５０】
次に、給水弁９が動作して所定量の洗浄水を洗浄槽２に供給する。
【００５１】
このとき、フロート室１６は洗浄槽２の一部と連通しているので、フロート室１６にも洗浄槽２と同一水位の洗浄水が供給されることになる。そのため、フロート室１６内にあるフロート１７がフロート室１６内の洗浄水の水位を検知することで、洗浄槽２内の洗浄水の水位を検知することができる。フロート１７がフロート室１６内の所定の水位を検知すると給水弁９は洗浄水の供給を停止する。
【００５２】
所定量の洗浄水が供給されると、洗浄手段６により洗浄水が加圧され、洗剤とともに洗浄ノズル７に設けた噴射孔８から洗浄水が噴射される。こうして洗浄行程が行われる。この洗浄行程では洗浄槽２内に設けた加熱手段５に通電して、洗浄水を洗浄所定温度まで加熱する。
【００５３】
洗浄行程が所定時間行われると、排水手段１０が食器３から洗い落とされた汚れを含む洗浄水を食器洗浄機１外へ排出する。そして、新たに給水弁９が洗浄水を供給し、洗浄ノズル７に設けた噴射孔８から再び洗浄水が噴射されて、洗剤や残菜等で汚れた食器３をすすぐ行程を実行する。
【００５４】
このすすぎ行程が終わると、洗浄水を再び食器洗浄機１外へ排出する。このすすぎ行程は連続して数回繰り返される。洗浄およびすすぎ行程では、残菜は洗浄槽２に設けたフィルタ１１内に捕集される。所定回数のすすぎ行程が終了すると乾燥行程が開始する。この行程では、送風手段１２が動作して食器洗浄機１外の空気が洗浄槽２内へ送り込まれる。送り込まれた空気は加熱手段５により加熱された後、食器３を乾燥させて排気口１３より食器洗浄機１外へ排出される。乾燥行程終了後、運転を終了する。
【００５５】
なお、複数回行われるすすぎ行程のうち、少なくとも１回は洗浄水を加熱手段５により加熱しながら食器３をすすぐ加熱すすぎ行程であってもよい。
【００５６】
このように構成された本実施例によれば、図１および図２に示すように、排水経路１９の一部に略Ｕ字形状部分αを形成して洗浄水を貯留する排水トラップ部１８と、排水時に排水経路１９内の洗浄水の一部をフロート室１６に供給する戻し経路２０とを、ポリプロピレンやポリアセタール、ＡＢＳ、ポリカーボネート、ポリスチレン、ナイロンなどの樹脂で形成して一体に成型または樹脂溶着または樹脂接着することにより、排水トラップ部１８は可倒性ではなく変形しない固体で形成されるので、塩化ビニル樹脂やゴムなどの変形することが可能な可倒性の材料で作られる場合よりも強度を向上させることができ、排水トラップ部１８の略Ｕ字形状部分αに排水手段１０による洗浄水の圧力が加わっても排水トラップ部１８に亀裂が生じて洗浄水が漏れるのを防止することができるとともに、図２に示すように、排水トラップ部１８と戻し経路２０との接続部をホース接続にすることがないので、ホース接続箇所を１箇所削減することができる。それゆえ、図１および図２では、ホース接続箇所はホース接続部Ａ〜Ｃとなり、従来例の４箇所から３箇所にすることができるので、食器洗浄機１を組み立てるときにホース接続部の接続を忘れてしまうことや、ホース接続が緩かったりしてホースが外れてしまうことを低減することができる。
【００５７】
したがって、排水経路１９、排水トラップ部１８、戻し経路２０の信頼性を向上させることができる。
【００５８】
なお、図２に示すように、略Ｕ字形状部分αのうち排水手段１０による洗浄水の圧力が高く加わる部分αの樹脂の肉厚を厚くするようにすれば、略Ｕ字形状部分αの強度をより向上させることができ、排水経路１９および排水トラップ部１８の信頼性をより向上させることができる。
【００５９】
それから、図３および図４に示すように、排水トラップ部１８と戻し経路２０とフロート室１６とを樹脂で形成して一体成型または樹脂溶着または樹脂接着することにより、ホース接続箇所は３箇所のままで、戻し経路２０とフロート室１６との位置関係が所定の位置で常に一定となりずれたりしないので、排水時に戻し経路２０を通過する洗浄水は常にフロート室１６に供給されることになる。
【００６０】
それゆえ、排水トラップ部１８とフロート室１６とが別々に構成されている場合に、排水トラップ部１８と戻し経路２０とを樹脂で形成して一体成型または樹脂溶着または樹脂接着した構成にすると、食器洗浄機１の組み立てで、排水トラップ部１８またはフロート室１６の取り付け方が悪かった場合には、戻し経路２０とフロート室１６とが所定の位置関係にならずに戻し経路２０の先端がフロート室１６外に配置されてしまう恐れがあり、排水時に戻し経路２０を流れる洗浄水がフロート室１６外および食器洗浄機１外に出てしまって食器洗浄機１が設置されている周辺を水浸しにする恐れがあることを防止することができ、食器洗浄機１の信頼性をより一層向上させることができる。
【００６１】
なお、排水トラップ部１８とフロート室１６とを別々に構成した場合に、戻し経路２０
とフロート室１６との位置関係が所定の位置にない場合に、戻し経路２０を流れる洗浄水が確実にフロート室１６に供給されるのを実施する手段のひとつが従来のように、戻し経路２０を塩化ビニル樹脂やゴムなどの可倒性のホースで構成して戻し経路２０をフロート室１６の位置に合わせて変形させて接続すればよいが、この場合は、ホース接続箇所が４箇所になってしまってホース接続箇所を減少させることができないことは言うまでもない。
【００６２】
それから、図５および図６に示すように、洗浄槽２を樹脂で成型するとともに、排水トラップ部１８および戻し経路２０およびフロート室１６を洗浄槽２と一体成型または樹脂溶着または樹脂接着することにより、食器洗浄機１の組み立て時には、排水トラップ部１８および戻し経路２０およびフロート室１６がすでに洗浄槽２に一体に取り付けられているので、排水トラップ部１８および戻し経路２０およびフロート室１６の取り付けミスや取り付けが緩いなどの問題を発生させることを防止することができるとともに、図１および図３に示すフロート室１６と洗浄槽２とを接続するフロート室用ホース２３を削減することができ、フロート室１６と洗浄槽２間のホース接続部をなくすことができるので、食器洗浄機１の組み立て時のホース接続ミスやホースの取り付けが緩いために生じるホース外れの恐れ等を低減することができる。それゆえ、洗浄水が食器洗浄機１外へ漏れるのを低減することができ、食器洗浄機１の信頼性をさらに一層向上させることができる。
【産業上の利用可能性】
【００６３】
以上のように、本発明にかかる食器洗浄機は、洗浄槽内の洗浄水を排水するときに生じる水漏れを低減することができ、食器洗浄機の信頼性を向上させることができるので、家庭用の食器洗浄機だけでなく、業務用の食器洗浄機の用途にも適用できる。
【符号の説明】
【００６４】
１  食器洗浄機
２  洗浄槽
３  食器
４  食器かご
５  加熱手段
６  洗浄手段
７  洗浄ノズル
８  噴射孔
１０  排水手段
１６  フロート室
１７  フロート
１８  排水トラップ部
１９  排水経路
２０  戻し経路
【図１】
2011030622.tif 000003
【図２】
2011030622.tif 000004
【図３】
2011030622.tif 000005
【図４】
2011030622.tif 000006
【図５】
2011030622.tif 000007
【図６】
2011030622.tif 000008
【図７】
2011030622.tif 000009
【図８】
2011030622.tif 000010
【図９】
2011030622.tif 000011
【図１０】
2011030622.tif 000012